(57)【特許請求の範囲】
【請求項１】
フッ素含有排水にカルシウム塩を添加して凝集沈殿処理を行うフッ素含有排水の処理方法において、
フッ化物イオン濃度が異なる複数の前記フッ素含有排水のフッ化物イオン濃度を標準添加法に基づいてフッ化物イオン電極計を用いて決定し、該決定したフッ素含有排水のフッ化物イオン濃度と前記標準添加法における標準物質が未添加のときの前記フッ化物イオン電極計の指示値との関係から検量線を作成する検量線作成工程と、
標準添加法を用いることなくフッ化物イオン電極計で測定して得られた任意の時点の前記フッ素含有排水の前記フッ化物イオン電極計の指示値を前記検量線に当てはめて該任意の時点のフッ素含有排水中のフッ化物イオン濃度を算出するフッ化物イオン濃度算出工程と、
該フッ化物イオン濃度算出工程において算出されたフッ化物イオン濃度の値を下記式（Ｉ）：
２００≦Ｃ１−Ｃ２×Ａｗ（Ｃａ）／２Ａｗ（Ｆ）≦１５００
［但し、Ｃ１は前記カルシウム塩のカルシウム濃度［ｍｇ／Ｌ］を表し、Ｃ２は前記フッ化物イオン濃度算出工程において算出されたフッ化物イオン濃度の値［ｍｇ／Ｌ］を表し、Ａｗ（Ｃａ）はカルシウムの原子量を表し、Ａｗ（Ｆ）はフッ素の原子量を表す］
に当てはめて添加すべき前記カルシウム塩のカルシウム濃度を算出するカルシウム濃度算出工程と、
該カルシウム濃度算出工程において算出されたカルシウム濃度から添加すべきカルシウム塩注入量を決定するカルシウム塩注入量決定工程と、
を有することを特徴とするフッ素含有排水の処理方法。
【請求項２】
前記フッ素含有排水中に硫酸イオンが１０００ｍｇ／Ｌ以上の濃度で存在する場合、
前記添加されるカルシウム塩のカルシウムのうち前記硫酸イオンと反応して凝集沈殿して失われるカルシウムを補うため、下記式（ＩＩ）：
Ｃ３＝（Ｃ４−１０００）×Ａｗ（Ｃａ）／Ｆｗ（ＳＯ４２−）
［但し、Ｃ３は補填されるカルシウム塩のカルシウム濃度を表し、Ｃ４はフッ素含有排水中の硫酸イオンの濃度を表し、Ａｗ（Ｃａ）はカルシウムの原子量を表し、Ｆｗ（ＳＯ４２−）は硫酸イオンの式量を表す］
に当てはめて算出されるカルシウム濃度のカルシウム塩がさらに前記フッ素含有排水中に補填されることを特徴とする請求項１に記載のフッ素含有排水の処理方法。
【請求項３】
フッ素含有排水とカルシウム塩とを混合するための混合手段と、
フッ素含有排水中のフッ化物イオン濃度を、フッ化物イオン濃度が異なる複数の前記フッ素含有排水のフッ化物イオン濃度を標準添加法に基づいてフッ化物イオン電極計を用いて決定し、該決定したフッ素含有排水のフッ化物イオン濃度と前記標準添加法における標準物質が未添加のときの前記フッ化物イオン電極計の指示値との関係から検量線を作成し、標準添加法を用いることなくフッ化物イオン電極計で測定して得られた任意の時点の前記フッ素含有排水の前記フッ化物イオン電極計の指示値を前記検量線に当てはめて該任意の時点のフッ素含有排水中のフッ化物イオン濃度を算出し、算出されたフッ化物イオン濃度の値を下記式（ＩＩＩ）：
２００≦Ｃ１−Ｃ２×Ａｗ（Ｃａ）／２Ａｗ（Ｆ）≦１５００
［但し、Ｃ１は前記カルシウム塩のカルシウム濃度［ｍｇ／Ｌ］を表し、Ｃ２は前記算出されたフッ化物イオン濃度の値［ｍｇ／Ｌ］を表し、Ａｗ（Ｃａ）はカルシウムの原子量を表し、Ａｗ（Ｆ）はフッ素の原子量を表す］
に当てはめて前記混合されるカルシウム塩の量を演算可能な演算手段と、
該演算手段により演算された量のカルシウム塩を前記混合手段に注入するための注入手段と、
を備えたことを特徴とするフッ素含有排水の処理装置。
【発明の詳細な説明】
【技術分野】
【０００１】
本発明は、フッ素含有排水の処理方法およびその処理装置に関し、特に、フッ素含有排水にカルシウム塩を添加して凝集沈殿処理を行うフッ素含有排水の処理方法およびその処理装置に関する。
【背景技術】
【０００２】
半導体を製造する工場や金属表面処理を行う施設では、フッ化水素（ＨＦ）やフッ化アンモニウム（ＮＨ４Ｆ）を主成分とする薬剤が使用され、フッ素を含む排水（以下、フッ素含有排水）が排出される。また、産業廃棄物焼却施設においては、焼却対象物の組成にフッ素が含まれているとその施設からの排ガスにフッ化水素が含まれることとなる。この排ガス中のフッ化水素は排ガス浄化装置において洗浄液に吸収されてフッ化物イオンとなり排ガス中から除去されるものの、洗浄液はフッ素含有排水として処理する必要がある。
【０００３】
このようなフッ素含有排水は、高濃度の場合にはフッ素を排水から除去する個別処理が施された後に、他の排水に混合されて事業場の総合排水として処理される。フッ素を排水から除去する個別処理の方法としては、一般に、水酸化カルシウム（Ｃａ（ＯＨ）２）等のカルシウム塩を添加してフッ化カルシウム（ＣａＦ２ ）の不溶物を生成させ、凝集沈殿処理で固液分離する方法が挙げられる。
【０００４】
添加するカルシウム塩の量は、排水中に存在するフッ化物イオンの濃度を測定し、その濃度のフッ化物イオンと反応してフッ化カルシウムの不溶物を生成させるために必要な量のカルシウムイオン濃度となる量である。
【０００５】
しかしながら、フッ化物イオンの測定に際し、フッ素含有排水中にはフッ化物イオン以外に排水中に存在する陰イオンや金属イオン等の共存成分の影響により、イオン電極方式による測定器でフッ化物イオン濃度を測定する場合には実際のフッ化物イオンの濃度と測定濃度との間に差が生じるおそれがあった。実際のフッ化物イオンの濃度と測定濃度との間に差がある場合には、適切な量のカルシウム塩を添加することができなくなってしまう。
【０００６】
特許文献１には、この差を考慮に入れたフッ素含有排水の処理方法が開示されている。具体的には、特許文献１には、産業排水中の処理対象成分であるフッ化物イオンの測定濃度をこの測定結果に影響を与える共存イオン（カルシウムイオン、マグネシウムイオン等）の濃度に基づいて補正して真のフッ化物イオン濃度を求め、真の産業排水中のフッ化物イオン濃度に基づいて必要な処理薬剤であるカルシウム塩の添加量を算出し、産業排水中に添加する産業排水の処理方法を開示する。
【０００７】
この処理方法によれば、処理薬剤の使用量を必要最小限に抑えつつ産業排水中からフッ化物イオンを除去することができる。
【０００８】
なお、特許文献１によれば、共存成分の濃度は、産業排水を測定することで求めてもよく、配合データベースから取得してもよい。
【先行技術文献】
【特許文献】
【０００９】
【特許文献１】特許第５５３２０１７号公報
【発明の概要】
【発明が解決しようとする課題】
【００１０】
しかしながら、特許文献１のフッ素含有排水の処理方法によれば、産業排水中の真のフッ化物イオン濃度を求めて、必要最小限の量で処理薬剤を添加することから、産業排水中のフッ化物イオンの適切な除去が行われないおそれがある。例えば、カルシウム塩（処理薬剤）がフッ化物イオン以外の共存イオンと不溶性塩を形成する可能性があり、この場合、フッ化物イオン濃度と反応させるべきカルシウム塩の量が不足する。また、カルシウムイオンがフッ化物イオンとの不溶性塩を形成する反応とその逆反応の平衡は、一般に逆反応側に大きく傾いているので、単純にカルシウムイオンがフッ化物イオンに対応する濃度となるようにカルシウム塩を添加したのでは十分に産業排水中のフッ化物イオンを除去することはできない。
【００１１】
本発明は、上記課題に鑑みてなされたものであり、その目的は、共存イオンが存在するフッ素含有産業排水中からより確実にフッ化物イオンを除去するフッ素含有産業排水の処理方法およびフッ素含有排水の処理装置を提供することにある。
【課題を解決するための手段】
【００１２】
上記目的を達成するための請求項１に記載の発明は、フッ素含有排水にカルシウム塩を添加して凝集沈殿処理を行うフッ素含有排水の処理方法において、フッ化物イオン濃度が異なる複数の前記フッ素含有排水のフッ化物イオン濃度を標準添加法に基づいてフッ化物イオン電極計を用いて決定し、該決定したフッ素含有排水のフッ化物イオン濃度と前記標準添加法における標準物質が未添加のときの前記フッ化物イオン電極計の指示値との関係から検量線を作成する検量線作成工程と、標準添加法を用いることなくフッ化物イオン電極計で測定して得られた任意の時点の前記フッ素含有排水の前記フッ化物イオン電極計の指示値を前記検量線に当てはめて該任意の時点のフッ素含有排水中のフッ化物イオン濃度を算出するフッ化物イオン濃度算出工程と、該フッ化物イオン濃度算出工程において算出されたフッ化物イオン濃度の値を下記式（Ｉ）：
２００≦Ｃ１−Ｃ２×Ａｗ（Ｃａ）／２Ａｗ（Ｆ）≦１５００
［但し、Ｃ１は前記カルシウム塩のカルシウム濃度［ｍｇ／Ｌ］を表し、Ｃ２は前記フッ化物イオン濃度算出工程において算出されたフッ化物イオン濃度の値［ｍｇ／Ｌ］を表し、Ａｗ（Ｃａ）はカルシウムの原子量を表し、Ａｗ（Ｆ）はフッ素の原子量を表す］
に当てはめて添加すべき前記カルシウム塩のカルシウム濃度を算出するカルシウム濃度算出工程と、該カルシウム濃度算出工程において算出されたカルシウム濃度から添加すべきカルシウム塩注入量を決定するカルシウム塩注入量決定工程と、を有することを特徴とする。
【００１３】
この構成によれば、式（Ｉ）に基づき、フッ化物イオン濃度測定工程で測定されたフッ素含有排水中のフッ化物イオン濃度に対応するカルシウム濃度よりも２００ｍｇ／Ｌ以上１５００ｍｇ／Ｌ以下で過剰となるようにカルシウム塩がフッ素含有排水中に添加されるので、十分量のカルシウムをフッ素含有排水中に残存させることができる。
【００１４】
また、カルシウムを２００ｍｇ／Ｌ以上１５００ｍｇ／Ｌ以下の過剰量でフッ素含有排水中に存在させることで、カルシウムイオンがフッ化物イオンとの不溶性塩を形成する反応とその逆反応の平衡を不溶性塩を形成する方向に傾けることが可能となり、より確実にフッ素含有排水中のフッ化物イオンを凝集沈殿させて除去することが可能となる。
【００１５】
上記特徴的な手法で検量線を作成し、市販のイオン電極計を用いて任意の時点のフッ素含有排水中のフッ素イオン濃度を測定することで、共存イオンが存在していたとしても正確なフッ素イオン濃度を算出することが可能となる。
【００１６】
また、フッ化物イオン濃度測定工程だけでなく、検量線を作成する際にも共存イオンを測定する必要がないから、フッ素含有排水を処理するにあたり共存イオンを測定する機器を全く用いることがなく、且つ、より簡易的により確実にフッ素含有排水中からフッ化物イオンを除去することが可能となる。
【００１７】
そのうえ、標準添加法により決定したフッ化物イオン濃度とフッ化物イオン電極計の指示値のデータを逐次散布図に記載し、信頼できる検量線を作成し、この検量線をフッ化物イオン濃度の算出に利用することで、より信頼性の高いフッ化物イオン濃度を算出することが可能となる。
【００２３】
請求項２に記載の発明は、請求項１に記載のフッ素含有排水の処理方法において、前記フッ素含有排水中に硫酸イオンが１０００ｍｇ／Ｌ以上の濃度で存在する場合、
前記添加されるカルシウム塩のカルシウムのうち前記硫酸イオンと反応して凝集沈殿して失われるカルシウムを補うため、下記式（ＩＩ）：
Ｃ３＝（Ｃ４−１０００）×Ａｗ（Ｃａ）／Ｆｗ（ＳＯ４２−）
［但し、Ｃ３は補填されるカルシウム塩のカルシウム濃度を表し、Ｃ４はフッ素含有排水中の硫酸イオンの濃度を表し、Ａｗ（Ｃａ）はカルシウムの原子量を表し、Ｆｗ（ＳＯ４２−）は硫酸イオンの式量を表す］
に当てはめて算出されるカルシウム濃度のカルシウム塩がさらに前記フッ素含有排水中に補填されることを特徴とする。
【００２４】
この構成によれば、フッ素含有排水中に硫酸イオンが１０００ｍｇ／Ｌ以上の量で存在する場合には硫酸イオンがフッ化物イオンと競合して添加したカルシウム塩に由来するカルシウムイオンと不溶性塩を形成し、フッ化物イオンの除去率が低下してしまうところ、かかる場合にフッ素含有排水中の硫酸イオン濃度を考慮して式（ＩＩ）に基づき算出されるカルシウムイオン濃度となる量のカルシウム塩をさらに補填することで、さらに確実にフッ素含有排水中のフッ化物イオンを除去することが可能となる。
【００２５】
請求項３に記載のフッ素含有排水の処理装置は、フッ素含有排水とカルシウム塩とを混合するための混合手段と、フッ素含有排水中のフッ化物イオン濃度を、フッ化物イオン濃度が異なる複数の前記フッ素含有排水のフッ化物イオン濃度を標準添加法に基づいてフッ化物イオン電極計を用いて決定し、該決定したフッ素含有排水のフッ化物イオン濃度と前記標準添加法における標準物質が未添加のときの前記フッ化物イオン電極計の指示値との関係から検量線を作成し、標準添加法を用いることなくフッ化物イオン電極計で測定して得られた任意の時点の前記フッ素含有排水の前記フッ化物イオン電極計の指示値を前記検量線に当てはめて該任意の時点のフッ素含有排水中のフッ化物イオン濃度を算出し、算出されたフッ化物イオン濃度の値を下記式（ＩＩＩ）：
２００≦Ｃ１−Ｃ２×Ａｗ（Ｃａ）／２Ａｗ（Ｆ）≦１５００
［但し、Ｃ１は前記カルシウム塩のカルシウム濃度［ｍｇ／Ｌ］を表し、Ｃ２は前記算出されたフッ化物イオン濃度の値［ｍｇ／Ｌ］を表し、Ａｗ（Ｃａ）はカルシウムの原子量を表し、Ａｗ（Ｆ）はフッ素の原子量を表す］
に当てはめて前記混合されるカルシウム塩の量を演算可能な演算手段と、該演算手段により演算された量のカルシウム塩を前記混合手段に注入するための注入手段と、を備えたことを特徴とする。
【００２６】
この構成によれば、式（ＩＩＩ）に基づき、フッ化物イオン濃度測定工程で測定されたフッ素含有排水中のフッ化物イオン濃度に対応するカルシウム濃度よりも２００ｍｇ／Ｌ以上１５００ｍｇ／Ｌ以下で過剰となるようにカルシウム塩が混合槽中のフッ素含有排水に注入手段によって注入可能となるので、十分量のカルシウムイオンをフッ素含有排水中に残存させることができる。
【００２７】
また、カルシウムイオンを２００ｍｇ／Ｌ以上１５００ｍｇ／Ｌ以下の過剰量でフッ素含有排水中に存在させることで、カルシウムイオンがフッ化物イオンとの不溶性塩を形成する反応とその逆反応の平衡を不溶性塩を形成する方向に傾けることが可能となり、より確実にフッ素含有排水中のフッ化物イオンを凝集沈殿させて除去することが可能となる。
【発明の効果】
【００２８】
本発明によれば、測定されたフッ素含有排水中のフッ化物イオン濃度に対応するカルシウム濃度よりも２００ｍｇ／Ｌ以上１５００ｍｇ／Ｌ以下の過剰量となるようにカルシウム塩が添加されるので、十分量のカルシウムをフッ素含有排水中に残存させることができる。
【００２９】
また、カルシウムイオンがフッ化物イオンとの不溶性塩を形成する反応とその逆反応の平衡を不溶性塩を形成する方向に傾けることが可能となり、より確実にフッ素含有排水中のフッ化物イオンを凝集沈殿させて除去することが可能となる。
【００３０】
さらに、標準添加法に基づいてフッ素含有排水中の真のフッ化物イオン濃度を測定あるいは算出することで、共存イオンが存在するフッ素含有排水中からより確実にフッ化物イオンを除去することが可能となる。
【図面の簡単な説明】
【００３１】
【図１】本発明の実施の形態にかかるフッ素含有排水の処理装置を示すブロック図である。
【図２】制御部４５によるカルシウム塩の注入制御を説明するためのフローチャートである。
【図３】本実施の形態の制御部の変形例を示すブロック図である。
【図４】経時的にフッ化物イオンの濃度が３段階に変動したフッ素含有排水のフッ化物イオン濃度を決定するための、標準添加法による回帰直線を示す図である。
【図５】図４で決定したそれぞれのフッ素含有排水のフッ化物イオン濃度と図４の標準物質が未添加のときのフッ化物イオン電極計の指示値との関係から作製された検量線（回帰直線）を示す図である。
【図６】制御部５０によるカルシウム塩の注入制御を説明するためのフローチャートである。
【図７】各原水Ａ〜Ｄとそれぞれのフッ化物イオン標準物質の添加物のフッ化物イオン濃度計指示値（Ｙ軸、単位：ｍｇ／Ｌ）およびフッ化物イオン標準物質の添加濃度（Ｘ軸、単位：ｍｇ／Ｌ）を示す図である。
【図８】図７で決定された各原水Ａ〜Ｄのフッ化物イオン濃度をＸ軸の値とし、各原水Ａ〜Ｄの回帰直線がＹ軸と交わる点のフッ化物イオン電極計の指示値をＹ軸の値として最小二乗法により作成した回帰直線（検量線）を示す図である。
【図９】フッ化物イオン標準原液が添加されたフッ素含有排水１のフッ化物イオン濃度計指示値（Ｙ軸、単位ｍｇ／Ｌ）およびフッ化物イオン標準物質の添加濃度（Ｘ軸、単位ｍｇ／Ｌ）を示す図である。
【発明を実施するための形態】
【００３２】
次に、本発明の実施の形態について図に基づいて詳細に説明する。フッ素含有排水の処理方法およびその処理装置を、図１〜図２を参照して説明する。図１は、本発明の実施の形態にかかるフッ素含有排水の処理装置１０を示すブロック図であり、図２は、制御部４５によるカルシウム塩の注入制御を説明するためのフローチャートである。
【００３３】
図示のように、フッ素含有排水の処理装置１０は、原水槽１５と、計量槽２０と、混合・反応槽２５と、凝集槽３０と、沈殿槽３５と、演算手段４７を含む制御部４５と、カルシウム塩貯槽５５と、から主に構成されている。
【００３４】
フッ素含有排水１は、フッ化物イオンを含有する排水であり、その濃度に制限はない。
【００３５】
原水槽１５は、処理すべきフッ素含有排水１の流量調整機能を有する大型の槽である。更に原水槽１５中のフッ素含有排水１を原水ポンプ１６で計量槽２０に送液する。尚、原水槽１５には、図示してない調整槽を設けてフッ素含有排水１を受け入れる構成としてもよい。
【００３６】
計量槽２０は、フッ化物イオン濃度測定手段２１及び硫酸イオン濃度測定手段２２を有し、計量槽２０中の液体のフッ化物イオン濃度および硫酸イオン濃度が測定可能である。測定されたフッ化物イオン濃度および硫酸イオン濃度の測定値は、前記制御部４５へと伝達される。計量槽２０はフッ素含有排水１の処理水量を所定の流量にする働きを担う。
【００３７】
なお、フッ化物イオン濃度および硫酸イオン濃度の測定場所は計量槽２０に限られるものではなく、フッ素含有排水１とカルシウム塩とが混合される場となる混合・反応槽２５よりも上流側であればよい。例えば、原水槽１５からポンプ移送した先に設けた測定槽、原水槽１５において測定してもよく、混合・反応槽２５よりも上流側においてフッ素含有排水１をサンプリングし、フッ化物イオン濃度および硫酸イオン濃度を測定することとしてもよい。
【００３８】
フッ化物イオン濃度測定手段２１は、フッ化物イオン電極法を採用した市販のフッ化物イオン濃度計を用いることができ、硫酸イオン濃度測定手段２２についても同様に、硫酸イオン電極法による市販の硫酸イオン濃度計を用いることができる。なお、硫酸イオン濃度測定手段２２は、硫酸イオン電極法に限らず、公定分析方法のいずれを用いるものであってもよい。さらには、使用薬品量や排ガスのＳＯｘ濃度から硫酸イオン濃度を推定する手段であってもよい。
【００３９】
本発明のフッ化物イオン濃度計の校正頻度は、１週間に１回から１か月に１回程度であればよいが、流入するフッ素含有排水の共存物質の性状の変化や製造生産工程の変化などがあれば実施する。
【００４０】
フッ化物イオン濃度および硫酸イオン濃度の測定は、連続的に、あるいは短いインターバルで行うことができる。
混合・反応槽２５（混合手段）は、槽内の液体を撹拌混合する攪拌機とカルシウム塩の注入部を備える。カルシウム塩は、カルシウム塩貯槽５５に液体の状態で貯留されている。カルシウム塩は、経路５７を介して混合・反応槽２５へと注入される。経路５７にはポンプ５９が設けられており、後述する制御部４５によりカルシウム塩のカルシウム塩貯槽５５からの混合・反応槽２５への注入量が制御される。
【００４１】
カルシウム塩は、水溶性カルシウム化合物であれば良く、本実施の形態においては液体のものを用いているが、粉末品であってもよい。カルシウム塩が粉末品である場合、カルシウム塩貯槽としては、下部に開閉弁を設けたホッパー等を採用することができる。かかる場合、制御部４５が開閉弁を開閉制御することで混合・反応槽２５に注入されるカルシウム塩の量が制御される。
【００４２】
カルシウム塩は、石灰乳、水酸化カルシウム（Ｃａ（ＯＨ）２）、塩化カルシウム（ＣａＣｌ）、粉末炭酸カルシウム（ＣａＣＯ３）、粉末ドロマイト（Ｃａ・Ｍｇ（ＣＯ３）２）が挙げられる。
【００４３】
また、混合・反応槽２５では、フッ化物イオンとカルシウムイオンの反応により生成されるフッ化カルシウムの不溶性塩が生成されるために好適なｐＨとなるように、図示しないｐＨ計を連動させて、アルカリ又は鉱酸が添加される。
【００４４】
上記フッ化カルシウムの不溶性塩が生成されるために好適なｐＨは６〜１０の範囲であり、より好ましくはｐＨ６〜８の範囲である。ｐＨ８以上では重炭酸イオンの影響でカルシウムが消費されることから、ｐＨは８以下であることが好ましく、ｐＨ５以上でフッ化カルシウムの生成が開始することから、反応ｐＨとしてはｐＨ６以上であることが好適である。
【００４５】
凝集槽３０は、槽内の液体を撹拌する攪拌機と、高分子凝集剤が注入される注入部を備える。凝集槽３０では、混合・反応槽２５において形成されたフッ化カルシウム等の不溶物やフッ素含有排水１中の懸濁物質（以下、ＳＳという）などが高分子凝集剤によって凝集される。なお、懸濁物質（ＳＳ）とは、水の濁りを示す指標の１つであり、水に含まれる粒子を孔径１μｍのガラス繊維ろ紙またはＭＦ膜ろ紙でろ過し、その粒子の乾物重量（ｍｇ／Ｌ）で表すものである。
【００４６】
凝集槽３０に添加される高分子凝集剤としては、排水中のＳＳの凝集させるために慣用されるものを用いることができる。例えば、カチオン系高分子凝集剤、アニオン系高分子凝集剤および両性高分子凝集剤のいずれを用いても良く、主に粉末品が用いられる。
【００４７】
沈殿槽３５においては、凝集槽３０で凝集した凝集物が下部に沈殿し、液体と分離する。沈殿槽３５の上部から下流に流出する液体は処理水３７として排出され、沈殿槽３５の下部に沈殿した凝集物は沈殿物３８として沈殿槽３５から除去される。
【００４８】
前記フッ化物イオン濃度測定手段２１及び硫酸イオン濃度測定手段２２により計量槽２０内の排水１中のフッ化物イオン濃度および硫酸イオン濃度が測定され、前記制御部４５は、その測定結果に基づいて注入すべきカルシウム塩の量を演算手段４７で算出し、算出された量のカルシウム塩をカルシウム塩貯槽５５から注入可能な時間だけポンプ５９を作動させ、混合・反応槽２５へ供給する処理を行う。
【００４９】
尚、前記制御部４５は、ポンプの流量を制御することにより処理する様にしても良い。
【００５０】
ここで、演算手段４７により算出される添加すべきカルシウム塩の量は、以下のように説明される。
【００５１】
フッ素含有排水１中のフッ化物イオンとカルシウムイオンの反応は式（ＩＶ）：
0006513540.tif 000002
のとおりである。しかし、式（ＩＶ）の平衡は両者がイオンの状態で存在する側（すなわち、左側）に傾いているため、フッ素含有排水１中にはカルシウムを過剰量に添加し、式（ＩＶ）の平衡をＣａＦ２（不溶性塩）が生成される側（すなわち、右側）にシフトさせることが重要となる。
【００５２】
この考え方に基づき、本発明のフッ素含有排水１のフッ化物イオン濃度測定値から添加すべきカルシウム塩の量のカルシウム濃度は以下の式（Ｖ）：
２００≦Ｃ１−Ｃ２×Ａｗ（Ｃａ）／２Ａｗ（Ｆ）≦１５００
［但し、Ｃ１はフッ素含有排水に添加すべきカルシウム塩のカルシウム濃度［ｍｇ／Ｌ］を表し、Ｃ２は後述するフッ化物イオン濃度測定工程により測定されたフッ化物イオン濃度［ｍｇ／Ｌ］を表し、Ａｗ（Ｃａ）はカルシウムの原子量を表し、Ａｗ（Ｆ）はフッ素の原子量を表す］
に当てはめて算出される。
【００５３】
式（Ｖ）の「Ｃ２×Ａｗ（Ｃａ）／２Ａｗ（Ｆ）」の部分は、式（ＩＶ）の左辺のフッ化物イオンとカルシウムイオンが理論量（すなわち、両者が物質量比で２：１の割合で存在する量）で混合・反応槽２５に存在するときのカルシウム塩のカルシウム濃度（以下、理論値ともいう）を表しており、かかるカルシウム濃度をＡとすると、式（Ｖ）は、「Ａ＋２００≦Ｃ（Ｃａ２＋）」および「Ｃ（Ｃａ２＋）≦Ａ＋１５００」の二つの式に分けて表すことができる。
【００５４】
すなわち、フッ素含有排水１中に添加すべきカルシウム塩のカルシウム濃度［ｍｇ／Ｌ］は、カルシウムがフッ化物イオンに対して理論量で存在することとなる濃度（理論値）を２００ｍｇ／Ｌ〜１５００ｍｇ／Ｌの範囲で過剰となる濃度となる。
【００５５】
過剰となるカルシウムの濃度が２００ｍｇ／Ｌを下回ると、カルシウム塩の添加不足となり、式（ＩＶ）で示す反応が左辺側に傾くことから、フッ素含有排水１中のフッ化物イオンの確実な除去が困難となる。また、過剰となるカルシウムの濃度が１５００ｍｇ／Ｌを超えると、フッ素含有排水１中のカルシウムの濃度が大過剰となるためカルシウム塩のコストが増大し、さらには下流の配管、凝集槽３０、沈殿槽３５でのカルシウム塩の残留によるスケール障害を誘発する原因にもなるために好ましくない。
【００５６】
過剰となるカルシウム濃度は、好ましくは３００ｍｇ／Ｌ〜１０００ｍｇ／Ｌの範囲であり、さらに好ましくは４００ｍｇ／Ｌ〜８００ｍｇ／Ｌの範囲であり、特に好ましくは５００ｍｇ／Ｌである。
【００５７】
また、フッ素含有排水１の性状や経験則を考慮し、式（Ｖ）に係数を設定して補正し、最適なカルシウム塩の添加量を決定することも可能である。
【００５８】
添加すべきカルシウム塩のカルシウムの濃度が決定されると、カルシウム塩の添加濃度（ｍｇ／Ｌ）も決定される。なお、カルシウム塩の添加濃度（ｍｇ／Ｌ）とは、混合・反応槽２５に添加された後の、混合・反応槽２５におけるフッ素含有排水１中でのカルシウム塩濃度のことをいう。
【００５９】
例えば、カルシウム塩が水酸化カルシウム（Ｃａ（ＯＨ）２）である場合、カルシウム塩の添加濃度は式（ＶＩ）：
Ｃ５＝Ｃ６×Ｍｗ（Ｃａ（ＯＨ）２）／Ａｗ（Ｃａ）
［但し、Ｃ５は水酸化カルシウムの添加濃度を表し、Ｃ６は添加すべきカルシウム塩のカルシウム濃度［ｍｇ／Ｌ］を表し、Ｍｗ（Ｃａ（ＯＨ）２）は水酸化カルシウムの分子量を表し、Ａｗ（Ｃａ）はカルシウムの原子量を表す。］
により決定される。
【００６０】
式（ＶＩ）で決定された水酸化カルシウム（カルシウム塩）の添加濃度およびカルシウム塩貯槽５５中のカルシウム塩の濃度に基づき、カルシウム塩貯槽５５から混合・反応槽２５に注入されるカルシウム塩の送液速度および送液量が決定される。
【００６１】
さらに、上記式（Ｖ）〜（ＶＩ）により決定されるカルシウム塩の添加量に加えて、さらにカルシウム塩が補填される場合について説明する。
【００６２】
液温２０℃〜２５℃におけるフッ素含有排水１中の硫酸イオン濃度が１０００ｍｇ／Ｌを超える場合には、上記式（Ｖ）により決定されるカルシウムイオン濃度に対応する量のカルシウム塩を添加するのでは、硫酸イオンがフッ化物イオンと競合して添加されたカルシウム塩に由来するカルシウムイオンと不溶性塩を形成し、フッ化物イオンの除去率が低下してしまうことが経験的にわかっている。
【００６３】
そこで、フッ素含有排水１中の硫酸イオン濃度が１０００ｍｇ／Ｌを超える場合には、式（ＶＩ）に基づき算出されるカルシウム塩の添加濃度に加えて、下記式（ＶＩＩ）に基づき算出されるカルシウム塩の添加濃度に対応する量のカルシウム塩が補填される。
【００６４】
式（ＶＩＩ）：
Ｃ３＝（Ｃ４−１０００）×Ａｗ（Ｃａ）／Ｆｗ（ＳＯ４２−）
［但し、Ｃ３は補填されるカルシウム塩のカルシウム濃度を表し、Ｃ４はフッ素含有排水中の硫酸イオンの濃度を表し、Ａｗ（Ｃａ）はカルシウムの原子量を表し、Ｆｗ（ＳＯ４２−）は硫酸イオンの式量を表す］
【００６５】
次に、以上の構成を有する本実施の形態に係るフッ素含有排水の処理装置１０を用いたフッ素含有排水の処理方法について、図１の構成と対比しながら図２のフローチャートを用いて説明する。
【００６６】
［フッ化物イオン濃度、又は、フッ化物イオン濃度及び硫酸イオン濃度の測定工程］
図２に示すように、ステップＳ１０１では、計量槽２０において、フッ素含有排水１中のフッ化物イオン濃度、又は、フッ化物イオン濃度および硫酸イオン濃度が、フッ化物イオン濃度測定手段２１及び硫酸イオン濃度測定手段２２により測定される。
【００６７】
尚、フッ化物イオン濃度のみが測定される場合は、事前に硫酸イオンが測定されているか、あるいは使用薬品量や排ガスのＳＯｘ濃度から硫酸イオン濃度が事前に推定されている場合である。
【００６８】
また、硫酸イオン濃度については事前に推定または測定されていた場合も含む。
【００６９】
［カルシウム濃度算出工程］
次に、制御部４５により、測定されたフッ素含有排水１中のフッ化物イオン濃度及び硫酸イオン濃度の測定値を演算手段４７で演算処理する制御を行う。
【００７０】
ステップＳ１０２では、計量槽２０のフッ素含有排水１中のフッ化物イオン濃度および硫酸イオン濃度の情報が制御部４５に伝達されると、制御部４５は硫酸イオン濃度が１０００ｍｇ／Ｌ以上であるか否かを判定する。硫酸イオン濃度が１０００ｍｇ／Ｌ以上である場合（ＹＥＳ判定）、ステップＳ１０３に移行する。硫酸イオン濃度が１０００ｍｇ／Ｌ未満である場合（ＮＯ判定）、ステップＳ１０４に移行する。
【００７１】
ステップＳ１０３では、上記式（Ｖ）にＳ１０１で測定されたフッ化物イオンの測定値を代入して算出されるカルシウム濃度に、上記式（ＶＩＩ）にＳ１０１で測定された硫酸イオンの測定値を代入して算出されるカルシウム濃度を加算し、加算後のカルシウム濃度に対応する添加すべきカルシウム塩の濃度（補填されたカルシウム塩の濃度を含む）を算出する。その後、カルシウム塩注入のステップＳ１０５に移行する。
【００７２】
一方、前述した１０００ｍｇ／Ｌ未満ＮＯ判定のステップＳ１０４では、上記式（Ｖ）にＳ１０１で測定されたフッ化物イオン濃度の測定値を代入して算出されるカルシウム濃度のみを算出する。その後、カルシウム塩注入のステップＳ１０５に移行する。
【００７３】
［カルシウム塩の注入工程］
ステップＳ１０５では、混合・反応槽２５のフッ素含有排水１中で、ステップＳ１０３又はステップＳ１０４で算出された濃度となるようにカルシウム塩貯槽５５から混合・反応槽２５へとカルシウム塩を注入する。カルシウム塩の注入は、制御部４５により駆動されるポンプ５９により行われ、注入速度及び注入量の調整も制御部４５により行われる。
【００７４】
ステップＳ１０５の終了後、図２のフローはスタートにリターンし、ステップＳ１０１からの制御が連続的に、あるいは短いインターバルで繰り返される。
【００７５】
その後、混合・反応槽２５中の液体は一定の流速、流量および水量で凝集槽３０において凝集処理に付され、沈殿槽３５において沈澱処理に付され、フッ素が除去された処理水３７が沈殿槽３５から流出する。
【００７６】
したがって、式（Ｖ）に基づき、フッ化物イオン濃度および硫酸イオン濃度測定工程（Ｓ１０１）で測定されたフッ素含有排水１中のフッ化物イオン濃度に対応するカルシウム濃度、即ち、カルシウムがフッ化物イオンに対して理論量で存在することとなるカルシウム濃度よりも２００ｍｇ／Ｌ以上１５００ｍｇ／Ｌ以下で過剰となるようにカルシウム塩が混合・反応槽２５においてフッ素含有排水１中に添加される。
【００７７】
そして、添加されたカルシウム塩がフッ化物イオン以外の共存イオンと多少反応した場合であっても十分量のカルシウムイオンをフッ素含有排水１中に残存させることができる。
【００７８】
また、カルシウムを２００ｍｇ／Ｌ以上１５００ｍｇ／Ｌ以下の過剰量でフッ素含有排水１中に存在させることで、カルシウムイオンがフッ化物イオンとの不溶性塩を形成する反応と、その逆反応の平衡（式（ＩＶ）参照）を不溶性塩を形成する方向に傾けることが可能となり、より確実にフッ素含有排水１中のフッ化物イオンを凝集沈殿させて除去することが可能となる。
【００７９】
さらに、フッ素含有排水１中に硫酸イオンが１０００ｍｇ／Ｌ以上の量で存在する場合には硫酸イオンがフッ化物イオンと競合して添加したカルシウム塩に由来するカルシウムイオンと不溶性塩を形成し、フッ化物イオンの除去率が低下してしまうところ、かかる場合には式（ＶＩＩ）に基づき、フッ素含有排水１中の硫酸イオン濃度を考慮してさらなるカルシウム塩が混合・反応槽２５中に補填されることで、確実にフッ素含有排水１中のフッ化物イオンを除去することが可能となる。
【００８０】
なお、本実施の形態におけるフッ化物イオン濃度測定手段２１では、フッ素含有排水１中のフッ化物イオン濃度の測定値として、フッ素含有排水１を、フッ化物イオン電極法を採用した市販のフッ化物イオン濃度計で測定した値をそのまま用いているが、これに限られるものではない。例えば、フッ化物イオン濃度を測定すべきフッ素含有排水１に対してフッ化物イオン濃度が既知のフッ化物イオン標準物質を添加する標準添加法により、共存イオンを含むフッ素含有排水１の真のフッ化物イオン濃度を測定することとしてもよい。
【００８１】
これによると、測定すべきフッ素含有排水１中にフッ化物イオン以外の共存オンが存在している場合であっても、その共存イオンの影響が排除されてフッ素含有排水１中の真のフッ化物イオンの濃度を求めることが可能となる。したがって、共存イオンが存在するフッ素含有産業排水中からより確実にフッ化物イオンを除去することが可能となる。
【００８２】
次に、以下、制御部４５の変形例を、図３〜図６を参照して説明する。
【００８３】
図３は変形例に係る制御部５０を示すブロック図であり、図４は経時的にフッ化物イオンの濃度が３段階に変動したフッ素含有排水のフッ化物イオン濃度を決定するための、標準添加法による回帰直線を示す図であり、図５は図４で決定したそれぞれのフッ素含有排水のフッ化物イオン濃度と図４の標準物質が未添加のときのフッ化物イオン電極計の指示値との関係から作製された検量線（回帰直線）を示す図であり、図６は制御部５０によるカルシウム塩の注入制御を説明するためのフローチャートである。
【００８４】
図３に示すように、制御部５０は、検量線作成手段５２と、フッ化物イオン濃度算出手段５４と、演算手段５６と、を有する。
【００８５】
本変形例において特徴的なことは、検量線作成手段５２は、標準添加法に基づきフッ化物イオン電極計を用いて決定された、フッ化物イオン濃度が経時的に少なくとも３段階に変動したフッ素含有排水１のそれぞれのフッ化物イオン濃度と、これらフッ化物イオン濃度が決定されたフッ素含有排水１の上記標準添加法における標準物質が未添加のときのフッ化物イオン電極計の指示値との関係から原点を通る検量線を作製する点にある。
【００８６】
標準添加法とは、共存物質の影響を受ける系などの場合に、未知試料に一定量の既知濃度の標準物質を添加して検量線の系列を作成し、この関係線から未知試料の濃度を定量するものである。
【００８７】
本変形例においては、フッ化物イオンの濃度が未知であり、且つ他のイオンが共存するフッ素含有排水１に対して、フッ化物イオン標準原液を、添加したフッ化物イオンの濃度が例えば、１００ｍｇ／Ｌ、２００ｍｇ／Ｌおよび３００ｍｇ／Ｌとなるように添加した溶液を作製する。図９は、フッ化物イオン標準原液が添加されたフッ素含有排水１のフッ化物イオン濃度計指示値（Ｙ軸、単位ｍｇ／Ｌ）およびフッ化物イオン標準物質の添加濃度（Ｘ軸、単位ｍｇ／Ｌ）を示す図である。
【００８８】
尚、本変形例においてはフッ化物イオン濃度（ｍｇ／Ｌ）を適用したが、これに限らず、その指示値が電位（ｍＶ）でもよい。
【００８９】
図９に示すように、フッ化物イオン標準原液がそれぞれ添加された溶液による３つのプロットを結ぶ１本の直線を引くことができ、この直線がＸ軸と交わる点ｚにより、フッ素含有排水１中のフッ化物イオン濃度が示されることとなる。
【００９０】
次に、図４、図５を用いて標準添加法による回帰直線の求め方を説明する。
【００９１】
具体的には、図４に示すように、経時的にフッ化物イオン濃度が３段階に変動したフッ素含有排水１をそれぞれ、１Ａ、１Ｂ、１Ｃで示し、標準添加法によりフッ化物イオン濃度ａ、ｂ、ｃをそれぞれ決定する。
【００９２】
かかる決定したフッ素含有排水１Ａ〜１Ｃ中のフッ化物イオン濃度ａ〜ｃをＸ軸の値とし、フッ素含有排水１Ａ〜１ＣがＹ軸と交わる点イ〜ハのフッ化物イオン電極計の指示値、即ち、標準物質が未添加のときのフッ化物イオン電極計の指示値をＹ軸の値として３つの点をプロットし、図５に示すように、これらの点を結びつつ原点を通る１本の直線を引くと、この直線が上述の検量線となる。
【００９３】
例えば、この直線は原点を通りつつ最小二乗法を用いて作成した回帰直線として得ることができる。なお、図５のａ〜ｃの値は、図４のａ〜ｃの値の絶対値である。
【００９４】
フッ化物イオン濃度算出手段５４は、フッ化物イオン濃度測定手段２１が測定し、制御部５０に伝達されたフッ化物イオン濃度（測定値）を上記検量線（回帰直線の回帰式）に当てはめて任意の時点のフッ素含有排水１中のフッ化物イオン濃度を算出するプログラムである。
【００９５】
演算手段５６は、フッ化物イオン濃度算出手段５４により算出された任意の時点のフッ素含有排水１中のフッ化物イオンの濃度を上記式（Ｖ）のＣ２の値として当てはめて添加すべきカルシウム塩のカルシウム濃度を算出する。
【００９６】
次に、フッ素含有排水の処理装置１０を用い前述した標準添加法及び検量線を適用したフッ素含有排水の処理方法について図６のフローチャートを参照して説明する。
【００９７】
［検量線作成工程］
本変形例においては、フッ素含有排水の処理装置１０を用いてフッ素含有排水の処理を行うに先立ち、標準添加法によるフッ化物イオン濃度測定および検量線の作製を行う。
【００９８】
＜標準添加法によるフッ化物イオン濃度測定＞
図１に示すように、フッ化物イオン濃度測定手段２１によりフッ素含有排水１のフッ化物イオン濃度が測定され、次に、フッ化物イオン濃度が測定された計量槽２０中のフッ素含有排水１に対してフッ化物イオンの標準物質が例えば、フッ化物イオン標準物質の添加濃度が１００ｍｇ／Ｌ、２００ｍｇ／Ｌ、３００ｍｇ／Ｌ...となるように段階的に添加され、そのときのフッ化物イオンの濃度が測定される。即ち、フッ素含有排水１について、標準添加法によりフッ化物イオン濃度を決定するための測定データが収集される。
【００９９】
図６に示す様に、標準添加法によるフッ化物イオン濃度の測定（Ｓ３０１）では、かかるフッ素含有排水１の標準添加法によるフッ化物イオン濃度の測定は、経時的に濃度が少なくとも３段階に変動したフッ化物イオン濃度について実施される。
【０１００】
＜検量線作成＞
検量線作成工程（Ｓ３０２）では、制御部５０は、前記測定値に基づき、フッ素含有排水１について経時的に少なくとも３段階に変動したフッ化物イオン濃度をそれぞれ決定し、決定したフッ化物イオン濃度をＸ軸の値とし、図４に示すように、各直線がＹ軸と交わる点のフッ化物イオン電極計の指示値、即ち、標準物質が未添加のときのフッ化物イオン電極計の指示値をＹ軸の値とし、図５に示すように、最小二乗法による回帰直線、つまり、原点を通る検量線を作成する。
【０１０１】
［フッ化物イオン濃度測定工程］
ステップＳ２０１では、計量槽２０において、フッ素含有排水１中のフッ化物イオン濃度がフッ化物イオン濃度測定手段２１により測定される。
【０１０２】
［フッ化物イオン濃度算出工程］
ステップＳ２０２では、制御部５０の演算手段４７はフッ化物イオン濃度の測定値を検量線作成工程で作成された検量線に当てはめてフッ素含有排水１中のフッ化物イオン濃度を算出する。
【０１０３】
［カルシウム濃度算出工程］
ステップＳ２０３では、制御部５０の演算手段４７により、上記式（Ｖ）に、ステップＳ２０２で算出されたフッ化物イオン濃度値を代入し、混合・反応槽２５中に添加すべきカルシウム塩の添加濃度に対応するカルシウムイオン濃度を算出する。
【０１０４】
［カルシウム塩の注入工程］
ステップＳ２０４では、混合・反応槽２５のフッ素含有排水１中で、ステップＳ２０３で算出された濃度となるようにカルシウム塩貯槽５５から混合・反応槽２５へとカルシウム塩を注入する。カルシウム塩の注入は、制御部５０により、前述した実施の形態と同様に行われる。
【０１０５】
ステップＳ２０４の終了後、図６のフローはスタートにリターンし、ステップＳ２０１〜Ｓ２０４までの制御が連続的に、あるいは短いインターバルで繰り返される。
【０１０６】
その後、混合・反応槽２５中の液体は凝集槽３０での凝集処理および沈殿槽３５での沈殿処理に付され、フッ素が除去された処理水３７が沈殿槽３５から流出する。
【０１０７】
以上のことから、本変形例にかかるフッ素含有排水の処理装置１０およびフッ素含有排水の処理方法によれば、フッ化物イオン濃度が経時的に変動するフッ素含有排水１であっても、予めフッ化物イオン濃度が少なくとも３段階に経時的に変動したフッ素含有排水１のそれぞれのフッ化物イオン濃度を標準添加法により決定し、決定したフッ化物イオン濃度とフッ化物イオン電極計の指示値との関係から検量線を作成し、この検量線にフッ化物イオン濃度測定工程（Ｓ２０１）で測定された任意の時点のフッ素含有排水のフッ化物イオン濃度の測定値を当てはめてフッ化物イオン濃度算出工程（Ｓ２０２）でフッ化物イオン濃度を算出し、かかるフッ化物イオン濃度を式（Ｉ）に当てはめて添加すべきカルシウム塩の濃度をカルシウム濃度算出工程（Ｓ２０３）で算出することができる。
【０１０８】
したがって、上記特徴的な手法で検量線を作成し、従来どおりのイオン電極計を用いて任意の時点のフッ素含有排水１中のフッ素イオン濃度を測定することで、共存イオンが存在していたとしてもほぼ正確なフッ素イオン濃度を測定することが可能となる。
【０１０９】
また、フッ化物イオン濃度測定工程（Ｓ２０２）だけでなく、検量線を作成する際にも共存イオンを測定する必要がないから、フッ素含有排水１を処理するにあたり共存イオンを測定する機器を全く用いることがなく、且つ、より簡易的により確実にフッ素含有排水中からフッ化物イオンを除去することが可能となる。
【０１１０】
前述した実施の形態においては、カルシウム塩を、カルシウムがフッ化物イオンに対して理論量で存在することとなる濃度よりも所定量、例えば２００ｍｇ／Ｌ〜１５００ｍｇ／Ｌ過剰となる濃度となるように混合槽に添加することでフッ素含有排水１中の共存イオン（塩化物イオン、硫酸イオン、硝酸イオンなどの陰イオンや鉄イオン、アルミニウムイオン等の陽イオン）の影響を抑制していたが、イオン電極法によりフッ化物イオンを測定することから、フッ化物含有排水１中のフッ化物イオンの測定値と実際のフッ化物含有排水１中のフッ化物イオンの濃度との間に共存イオンの存在に起因する誤差が生じることの懸念が残っていた。
【０１１１】
また、他の共存イオンの濃度を測定するためにフッ素含有排水の処理装置１０に対して別途測定機器を設けるとなると装置構成が複雑化し、且つ、フッ素含有排水１中のフッ化物イオン濃度は経時的に変動するものであるから、フッ化物イオン濃度と、他の共存イオンの濃度をその都度すべて測定するのでは測定の手間も増えることとなる。
【０１１２】
したがって、本実施例の前述した変形例に係るフッ素含有排水の処理装置１０およびその処理方法では、共存イオンが存在するフッ素含有産業排水中からより簡易的且つより確実にフッ化物イオンを除去することが可能となる。
【０１１３】
なお、本発明は上記実施の形態に限定されることはなく、例えば、上記実施の形態の変形例においては検量線の作製にあたり、経時的に濃度が３段階に変動したフッ素含有排水を用いたが、これに限られるものではない。実際のフッ素含有排水の代わりに模擬フッ素含有排水をフッ素含有排水として用いることができ、具体的には、処理対象となるフッ素含有排水に含まれる陰イオンや陽イオン濃度が同程度の濃度となるように試薬や化学薬品を水道水や脱塩水に溶解し、濃度調整したフッ化物イオンを含まない模擬フッ素含有排水を、実際のフッ素含有排水の代わりに検量線の作製のために使用してもよい。
【０１１４】
あらかじめフッ素含有排水の塩化物イオン、硫酸イオン、硝酸イオンなどの陰イオンや鉄イオン、アルミニウムイオン、ナトリウムイオン、カリウムイオンなどの陽イオンの濃度を測定し、それに見合った塩化ナトリウム、塩化カリウムや硫酸ナトリム、硫酸カリウム、硝酸ナトリウム、硝酸カリウム、塩化鉄、硫酸鉄、塩化アルミニウム、硫酸アルミニウムなどの試薬を水道水や脱塩水に溶解し、濃度調整したフッ化物イオンを含まない模擬フッ素含有排水を調製する。
【０１１５】
その模擬フッ素含有排水にフッ化物イオン標準原液を添加して少なくとも３以上の複数段階のフッ化物イオン濃度を有するフッ素含有排水を作製し、標準添加法を用いて図４および図５のやり方で検量線を作製することもできる。
【０１１６】
また、上記変形例においては、上記実施の形態の変形例においては検量線の作製にあたり、経時的に濃度が３段階に変動したフッ素含有排水を用いたが、これに限られるものではなく、例えば、フッ化物イオン濃度が経時的に変動するフッ素含有排水のうち、ある１段階のフッ素含有排水のフッ化物イオン濃度を標準添加法に基づいて図４のように決定し、そのうえで図５のやり方で原点を通る検量線を作成することも可能である。
【０１１７】
これは、図５に示す検量線は必ず原点を通ることになるから、原点とある１段階の標準添加法を用いて決定したフッ素含有排水のフッ化物イオン濃度の値およびフッ化物イオン電極計の指示値とがわかれば、理論的に検量線を作成可能である。
【０１１８】
さらに、フッ化物イオンに限らず、共存イオンが存在し、且つ、経時的に濃度が変動する陰イオンあるいは陽イオンが上記変形例のように一つである液体系に対して、上記検量線および検量線の作製方法は適用可能である。
【０１１９】
経時的に濃度が変動する陰イオンあるいは陽イオンとしては、ナトリウムイオン、カリウムイオン、塩素イオン、臭素イオン、ヨウ素イオン、シアン化物イオン、鉛イオン、カドミウムイオン、銅イオン、水銀イオンなど２価陽イオン、硝酸イオン、塩素酸イオン、カルシウムイオン、アンモニウムイオンが挙げられる。
【０１２０】
フッ素処理以外で、処理対象物質濃度が本発明のイオン電極法で簡便にモニターでき、その結果により適正な薬品を添加することで、処理性能が向上する。シアン化物イオンは、塩素酸化処理の塩素注入量の決定に、鉛イオン、カドミウムイオン、銅イオン、水銀イオンなど２価陽イオンは、配位結合を有する薬剤（以下、液体キレート）による重金属処理において、液体キレートの注入率の決定に、硝酸イオンは、生物学的脱窒素処理での水素供与体であるアルコール類などの注入率や触媒還元処理時のヒドラジンのような還元剤の注入率の決定に、塩素酸イオンは、還元処理における亜硫酸塩などの還元剤の注入率の決定に、アンモニウムイオンは塩素酸化における塩素注入率の決定に適用できる。
【０１２１】
かかる検量線および検量線の作製方法によれば、共存イオンが存在し、且つ、経時的に濃度が変動する陰イオンあるいは陽イオンが上記変形例のように一つである液体系において、簡易的且つより確実に経時的に変動する陰イオンあるいは陽イオンの濃度が決定可能となる。
【実施例】
【０１２２】
以下、本発明をさらに実施例により詳細に説明する。
【０１２３】
［１．検量線の作製］
複数段階にフッ化物イオン濃度が変動した半導体部品工場排水（フッ素含有排水１に相当する。以下、原水という）について標準添加法を行った。
【０１２４】
表１に、標準添加法に用いた、４段階にフッ化物イオン濃度が変動した原水（原水Ａ、原水Ｂ、原水Ｃおよび原水Ｄ）の性質を示す。
【０１２５】
【表１】
0006513540.tif 000003
【０１２６】
原水Ａ〜Ｄに対して、フッ化物イオン標準物質の添加濃度がそれぞれ０ｍｇ／Ｌ,３００ｍｇ／Ｌ,６００ｍｇ／Ｌ，１０００ｍｇ／Ｌとなるようにフッ化物イオン標準物質、フッ化ナトリウム（和光純薬工業（株）製  試薬1級）を添加し、各原水とそれぞれのフッ化物イオン標準物質の添加物についてフッ化物イオン電極計（電極の型式：ＨＷ−３０Ｒ、東亜ディーケーケー株式会社製）を用いてフッ化物イオン濃度を測定した。
【０１２７】
図７は、各原水とそれぞれのフッ化物イオン標準物質の添加物のフッ化物イオン濃度計指示値（Ｙ軸、単位ｍｇ／Ｌ）およびフッ化物イオン標準物質の添加濃度（Ｘ軸、単位ｍｇ／Ｌ）を示す図である。
【０１２８】
なお、図７中の直線は上記フッ化物イオン濃度の測定データから最小二乗法により作成した回帰直線である。
【０１２９】
図示のように、各原水Ａ〜Ｄの回帰直線は、Ｘ軸との交点において、約−６０ｍｇ／Ｌ、約−２００ｍｇ／Ｌ、約−４００ｍｇ／Ｌおよび約−６００ｍｇ／ＬのＸ軸の値をそれぞれ示しており、この値の絶対値は事前に測定していた各原水のフッ化物イオン濃度の値にほぼ対応していた。
【０１３０】
したがって、標準添加法により決定される原水中のフッ化物イオン濃度の値に信頼性が高いことが示された。
【０１３１】
次に、図７で決定された各原水Ａ〜Ｄのフッ化物イオン濃度をＸ軸の値とし、各原水Ａ〜Ｄの回帰直線がＹ軸と交わる点のフッ化物イオン電極計の指示値（すなわち、標準物質が未添加のときのフッ化物イオン電極計の指示値）をＹ軸の値として最小二乗法により回帰直線を作製した。この回帰直線、すなわち、検量線を図８に示す。
【０１３２】
［２．検量線の精度の確認］
表２は、検量線の精度の確認に用いる原水Ｅの性質を示す表である。
【０１３３】
【表２】
0006513540.tif 000004
【０１３４】
原水Ｅについて、フッ化物イオン電極計（電極の型式：ＨＷ−３０Ｒ、東亜ディーケーケー株式会社製）を用いてフッ化物イオン濃度を測定し、測定値（フッ化物イオン電極計の指示値）を検量線に当てはめてフッ化物イオン濃度を決定した。結果を図８に示す。
【０１３５】
同図に示すように、原水Ｅのフッ化物イオン濃度は１４０ｍｇ／Ｌと決定された。この値は、表２のJIS   K0102（2013）34.1ランタン-アリザリンコンプレキソン吸光光度法による測定値の１３０ｍｇ／Ｌと近い値であり、作成した検量線が簡易的なフッ化物イオン濃度の決定方法として活用可能であることが示された。
【０１３６】
［３．原水Ｅの処理］
上記実施の形態の変形例に対応するフッ素含有排水の処理装置を用いて原水Ｅの処理を行い、処理水３７を得た。
【０１３７】
上述のとおり、原水Ｅのフッ化物イオン濃度の決定値を１４０ｍｇ／Ｌとし、カルシウム塩として１０ｗｔ／ｗｔ％の消石灰液（比重１．０６）を、カルシウムがフッ化物イオンに対して理論値＋１００ｍｇ／Ｌ（試験例１）、理論値＋２００ｍｇ／Ｌ（試験例２）、理論値＋３００ｍｇ／Ｌ（試験例３）、理論値＋５００ｍｇ／Ｌ（試験例４）、理論値＋７００ｍｇ／Ｌ（試験例５）、理論値＋１０００ｍｇ／Ｌ（試験例６）および理論値＋１５００ｍｇ／Ｌ（試験例７）となるように混合・反応槽２５に添加した。
【０１３８】
すなわち、原水Ｅのフッ化物イオン濃度１４０ｍｇ／Ｌに対して、計算上の過剰のカルシウムイオン濃度を１００〜１５００ｍｇ／Ｌに設定した。
【０１３９】
表３にフッ素含有排水の処理装置の処理条件を示す。
【０１４０】
【表３】
0006513540.tif 000005
【０１４１】
なお、上記試験例１〜７においては、硫酸イオン濃度の測定は行わず、原水中のフッ化物イオン濃度を変動させないため、消石灰添加率も経時的な変動はなかった。
【０１４２】
試験の結果を表４に示す。
【０１４３】
【表４】
0006513540.tif 000006
【０１４４】
表４中、処理水のフッ化物イオン濃度は、表２同様、孔径１μｍのＭＦでろ過したろ過水についてＪＩＳ  Ｋ０１０２（２０１３）３４．１に準拠した方法により測定した。
【０１４５】
表４に示すように、カルシウム塩を、混合・反応槽２５のカルシウム濃度がフッ化物イオンに対して理論値＋２００ｍｇ／Ｌとなるように添加した場合、処理水のフッ化物イオン濃度を１６ｍｇ以下となるまで低下させることができた。また、理論値＋３００ｍｇ／Ｌとなるようにカルシウム塩を添加すると、さらに処理水のフッ化物イオン濃度を低下させることができた。
【０１４６】
［４．検量線に基づくフッ化物イオン濃度の決定手法と従来法との比較］
原水Ｅ（試験例１１）および原水Ｅを水道水で任意に希釈した原水希釈液（試験例８〜１０）について、フッ化物イオン電極計（電極の型式：ＨＷ−３０Ｒ、東亜ディーケーケー株式会社製）を用い、上記［１．検量線の作製］で作製した検量線を用いて算出したフッ化物イオン濃度と、従来法によるフッ化物イオン濃度の決定結果とを比較した。
【０１４７】
従来法は、標準添加法を用いない、一般的な手法に基づく検量線に当てはめてフッ化物イオン濃度を測定する方法である。すなわち、市販のフッ化物イオン標準原液を少なくとも３以上の濃度（例えば、１０ｍｇ／Ｌ、５０ｍｇ／Ｌ、１００ｍｇ／Ｌ…）となるように、ＪＩＳ  Ｋ０１０２（２０１３）３４．２の緩衝液および脱塩水を添加しつつそれぞれ希釈し、複数のフッ化物イオン濃度を有する希釈液を作製した。
【０１４８】
この希釈液をフッ化物イオン電極計（電極の型式：ＨＷ−３０Ｒ、東亜ディーケーケー株式会社製）を用いてフッ化物イオン濃度を測定して得られた指示値をＹ軸の値とし、それぞれの希釈液の上記フッ化物イオンの濃度（１０ｍｇ／Ｌ、５０ｍｇ／Ｌ、１００ｍｇ／Ｌ…）をＸ軸の値として検量線を作製した。
【０１４９】
次に、フッ化物イオン電極計（電極の型式：ＨＷ−３０Ｒ、東亜ディーケーケー株式会社製）を用いて原水Ｅ（試験例４）および原水Ｅを水道水で任意に希釈した原水希釈液（試験例１〜３）のフッ化物イオン濃度を測定し、測定した指示値を、上記［１．検量線の作製］で作製した検量線および上記従来法で作製した検量線にそれぞれ当てはめ、フッ化物イオン濃度を算出した。
【０１５０】
結果を表５に示す。
【０１５１】
【表５】
0006513540.tif 000007
【０１５２】
表５に示すように、［１．検量線の作製］で作製した検量線に当てはめて算出されたフッ化物イオン濃度は、公定法（すなわち、ＪＩＳ  Ｋ０１０２（２０１３）３４．１に準拠した方法）により測定されたフッ化物イオンの濃度に非常に近い値となっていた。一方、従来法により作成した検量線で得られた測定値は、フッ化物イオン濃度が１００ｍｇ／L以下（公定法による）の部分で測定の精度が低いものとなっていた。
【０１５３】
従来法において測定の精度が低いこととなった原因としては、原水Ｅ中の共存物質の影響が考えられる。
【０１５４】
［５．模擬原水について、公知の標準添加法に基づくフッ化物イオン濃度の算出］
脱塩水に原水Ｅの陰イオン濃度や陽イオン濃度（表２参照）となるようにフッ化物イオン標準原液、塩化ナトリウム、硝酸ナトリウム、硫酸ナトリウム、硫酸鉄および塩化アルミニウムを添加した模擬原水（試験例１２）を作製した。したがって、模擬原水中の公定法（ＪＩＳ  Ｋ０１０２（２０１３）３４．１に準拠した方法による）フッ化物イオン濃度は１３０ｍｇ／Ｌである。
【０１５５】
この模擬原水にさらにフッ化物イオン標準原液を添加し、フッ化物イオン濃度がそれぞれ異なる標準添加模擬原水（１０ｍｇ／Ｌ、５０ｍｇ／Ｌ、１００ｍｇ／Ｌ…）を作製した。
【０１５６】
これらの標準添加模擬原水のフッ化物イオン濃度をフッ化物イオン電極計（電極の型式：ＨＷ−３０Ｒ、東亜ディーケーケー株式会社製）を用いて測定し、図９に示すような公知の標準添加法による検量線を作製し、この検量線とＸ軸との交点から模擬原水中のフッ化物イオン濃度を算出した。
【０１５７】
結果を表６に示す。
【０１５８】
【表６】
0006513540.tif 000008
【０１５９】
表６に示すように、公知の標準添加法を用いた場合ではあるものの、フッ化物イオン濃度の算出値は公定法（ＪＩＳ  Ｋ０１０２（２０１３）３４．１に準拠した方法）によるフッ化物イオン濃度の測定値と近い値を示した。
【０１６０】
このことは、模擬原水を原水（処理対象のフッ素含有排水）の代わりに用いて上記変形例の図５に示す検量線を作製することができることを示している。
【符号の説明】
【０１６１】
１  フッ素含有排水
１０  フッ素含有排水の処理装置
２１  フッ化物濃度測定手段（フッ化物イオン電極計）
２５  混合・反応槽（混合手段）
４７、５６  演算手段
５９  ポンプ（注入手段）
【図１】
0006513540.tif 000009
【図２】
0006513540.tif 000010
【図３】
0006513540.tif 000011
【図４】
0006513540.tif 000012
【図５】
0006513540.tif 000013
【図６】
0006513540.tif 000014
【図７】
0006513540.tif 000015
【図８】
0006513540.tif 000016
【図９】
0006513540.tif 000017